(57)【特許請求の範囲】
【請求項１】
所定の店舗内に設置されている所定の撮像手段によって撮像された映像に含まれる人の顔を判別する判別手段と、
前記人の顔に現れる笑顔を検出する笑顔検出手段と、
前記所定の店舗内で開催された所定のイベント中に検出された笑顔の割合を算出する割合算出手段と、
前記笑顔の割合に基づいて算出された有価価値の寄付を実行する寄付手段と、を有し、
前記寄付手段は、前記所定のイベントの売り上げを所定の寄付原資とする、
寄付装置。
【請求項２】
前記寄付手段は、前記所定の寄付原資を上限として寄付を実行する、
請求項１記載の寄付装置。
【請求項３】
笑顔の検出回数、検出時刻、及び検出場所に係る情報を登録する笑顔情報登録手段、をさらに有する、
請求項１又は２記載の寄付装置。
【請求項４】
コンピュータが、
所定の店舗内に設置されている所定の撮像手段によって撮像された映像に含まれる人の顔を判別する判別ステップと、
前記人の顔に現れる笑顔を検出する笑顔検出ステップと、
前記所定の店舗内で開催された所定のイベント中に検出された笑顔の割合を算出する割合算出ステップと、
前記笑顔の割合に基づいて算出された有価価値の寄付を実行する寄付ステップと、を実行し、
前記寄付ステップは、前記所定のイベントの売り上げを所定の寄付原資とする、
ことを特徴とする寄付方法。
【請求項５】
コンピュータに対して、
所定の店舗内に設置されている所定の撮像手段によって撮像された映像に含まれる人の顔を判別する判別処理と、
前記人の顔に現れる笑顔を検出する笑顔検出処理と、
前記所定の店舗内で開催された所定のイベント中に検出された笑顔の割合を算出する割合算出処理と、
前記笑顔の割合に基づいて算出された有価価値の寄付を実行する寄付処理と、を実行させ、
前記寄付処理は、前記所定のイベントの売り上げを所定の寄付原資とする、
ことを特徴とするコンピュータプログラム。
【発明の詳細な説明】
【技術分野】
【０００１】
本発明は、笑顔を検出すると寄付を実行する技術に関する。
【背景技術】
【０００２】
寄付サービスに関する技術が種々提案されている。例えば、特許文献１は、道路状況における譲り状態を判別し、これに応じて寄付サービスを行うことを開示する。
【０００３】
特許文献１では、道路状況における譲り状態を判別すると寄付サービスを行う技術が記載されている。特許文献２では、画像データに基づき、人の顔を検出し、検出した顔の表情を判定する技術が記載されている。
【先行技術文献】
【特許文献】
【０００４】
【特許文献１】特開2004-13656号公報
【特許文献２】特開2019-3536号公報
【発明の概要】
【発明が解決しようとする課題】
【０００５】
上述のように、従来技術に係る寄付サービスの方法は、人の笑顔を検出した場合に寄付サービスを行うことを想定しているものではなかった。
【０００６】
そこで本発明は、所定の撮像手段によって撮像された映像に含まれる人の顔が笑顔であると判別した場合に寄付を実行することを目的の一つとする。
【課題を解決するための手段】
【０００７】
上記目的を達成するため、本発明の一の観点に係る寄付装置は、所定の撮像手段によって撮像された映像に含まれる人の顔を判別する判別手段と、前記人の顔に現れる笑顔を検出する笑顔検出手段と、笑顔を検出するたびに、所定数量の有価価値の寄付を実行する寄付手段と、を有する。
【０００８】
また、前記寄付手段は、所定の寄付原資を上限として寄付を実行してもよい。
【０００９】
また、前記所定の撮像手段は所定の店舗内等に設置されており、前記所定の店舗内等で開催された所定のイベント中に検出された笑顔の割合を算出する割合算出手段、をさらに有し、前記寄付手段は、前記所定のイベント中の売り上げを前記所定の寄付原資としてもよい。
【００１０】
また、検出した笑顔の度合いを判定する判定手段、をさらに有し、前記寄付手段は、笑顔を検出するたびに、前記所定数量に当該笑顔の度合いに応じた係数を乗じて得られた数量の有価価値の寄付を実行してもよい。
【００１１】
また、前記映像に含まれる人の顔を個々に識別する識別手段と、同一人の笑顔による寄付の実行を所定の回数に制限する制限手段と、をさらに有してもよい。
【００１２】
また、笑顔の検出回数、検出時刻、及び検出場所に係る情報を登録する笑顔情報登録手段、をさらに有してもよい。
【００１３】
また、本発明の別の観点に係る寄付方法は、所定の撮像手段によって撮像された映像に含まれる人の顔を判別する判別ステップと、前記人の顔に現れる笑顔を検出する笑顔検出ステップと、笑顔を検出するたびに、所定数量の有価価値の寄付を実行する寄付ステップと、を実行するものとしてもよい。
【００１４】
また、本発明の別の観点に係るコンピュータプログラムは、所定の撮像手段によって撮像された映像に含まれる人の顔を判別する判別処理と、前記人の顔に現れる笑顔を検出する笑顔検出処理と、笑顔を検出するたびに、所定数量の有価価値の寄付を実行する寄付処理と、を実行させるものとしてもよい。
【００１５】
なお、コンピュータプログラムは、インターネット等のネットワークを介したダウンロードによって提供したり、コンピュータ読み取り可能な各種の記録媒体に記録して提供したりすることができる。
【発明の効果】
【００１６】
本発明によれば、人の笑顔が検出された場合に寄付を実行できる。
【図面の簡単な説明】
【００１７】
【図１】本発明の実施形態に係る寄付装置の実施形態を示す機能ブロック図である。
【図２】本発明の実施形態に係る寄付装置の検出部が人の顔を検出する例を示す図である。
【図３】本発明の実施形態に係る寄付装置の笑顔情報登録部が記録する情報を説明するための図である。
【図４】本発明の状態遷移例１に係る寄付装置の実施形態を示す状態遷移図である。
【発明を実施するための形態】
【００１８】
本発明に係るーの実施形態について、図１及び図２を参照して説明する。
図１に示されている、寄付装置１００は、人の笑顔が検出された場合に寄付を実行する装置である。
寄付装置１００は、メモリなどの記憶媒体、プロセッサ、通信モジュール、及び入力／出力インターフェース等で構成され、プロセッサが記憶媒体に記録されたコンピュータプログラムを実行することで、図１に示した機能ブロックを実現するようになっている。記憶媒体は、コンピュータ読み取り可能記録媒体であって、ＲＡＭ（random access memory）、ＲＯＭ（read only memory）、ディスクドライブ、ＳＳＤ（solid state drive）、フラッシュメモリ（flash memory）のような記憶装置等を含んでよい。ここで、ＲＯＭやディスクドライブ、ＳＳＤ、フラッシュメモリのような非一時的、記憶装置は、メモリとは区分される別の格納装置として寄付装置１００に含まれてもよい。
【００１９】
本実施形態では、前提として、寄付装置１００を具備するクライアント端末が複数存在してもよく、それらが離れた場所又は近い場所に存在して、それぞれのクライアント端末同士が通信をしてもよい。また、寄付装置１００を具備するサーバ端末が存在し複数人又は一人のユーザがサーバ端末にアクセスすることによって寄付装置１００を使用してもよい。
【００２０】
●機能構成
【００２１】
寄付装置１００は、上記したハードウェア構成により、撮像部１０１、検出部１０２、笑顔検出部１０３、寄付部１０４、割合算出部１０５、判定部１０６、識別部１０７、制限部１０８、笑顔情報登録部１０９、場所特定部１１０を具備する。
【００２２】
撮像部１０１は、飲食店やスポーツ観戦を行う場所等において、複数の人の顔を判別するために当該飲食店やスポーツ観戦を行う場所等を撮像する。撮像する方法は、例えば可視光カメラによる撮像である。撮像する方法で使用するカメラは、人の顔を判別することができれば良く、グレースケールで出力されるカメラやサーモグラフィカメラ等種々のカメラを採用することができる。
撮像部１０１は、飲食店等を撮像する場合には顧客の顔を撮像できれば良く、当該飲食店等の内部や外部を撮影してもよい。また、飲食店等の内部や外部に撮像部１０１である可視光カメラ等を複数設置してもよい。
撮像部１０１による撮像は、飲食店等の営業時間の間のみ起動していても、飲食店等の営業時間外も起動していてもよい。
【００２３】
検出部１０２は、撮像部１０１によって撮像された映像に含まれる人の顔を検出する。検出部１０２は、図２に示すように、人の顔を検出することができる。その場合に、図２に示すように、検出した顔の周りに四角い枠を表示してもよい。
検出部１０２が人の顔を検出する方法は、Haar-like特徴分類器や、人の顔のデータを有するビックデータに基づいて人の顔を検出する等種々の方法を使用してもよい。
【００２４】
なお、検出部１０２は、人の顔の正面のみならず、人の横顔や上から見た顔、下から見た顔も同様に人の顔として検出してもよい。また、検出部１０２は、撮像部１０１によって撮像された映像に含まれる人の顔を複数検出してもよい。
【００２５】
笑顔検出部１０３は、検出部１０２によって検出した人の顔に現れる笑顔を検出する。例えば、図２に示すように、図２左の人の顔は検出部１０２によって検出されるが、笑顔でないため笑顔検出部１０３には検出されない。一方で、図２右の人の顔は検出部１０２によって検出され、かつ、笑顔であるため笑顔検出部１０３によって検出される。また、笑顔検出部１０３を実現する技術は、ＡＩによる顔認識技術等種々の技術を利用することが考えられるが、笑顔が検出することができればよい。
【００２６】
笑顔検出部１０３は、検出部１０２が人の顔を複数検出した場合はその複数の人の顔に対して笑顔かどうかを検出する。
【００２７】
笑顔検出部１０３は、検出部１０２により検出した人の顔が笑顔だった場合にその時刻を記録する。例えば、店舗内にいる甲さんの笑顔が検出された場合に笑顔検出部１０３は検出された時刻を１２時３分であることを記録する。記録する方法は、笑顔検出部１０３が具備されているコンピュータのシステム日付を利用する等種々の方法が考えられるが、笑顔が検出された時刻を記録することができればその方法は問わない。
【００２８】
なお、笑顔検出部１０３は、笑顔のみならず、その他の表情である怒り、悲しみ、驚き等、笑顔以外の表情を検出してもよい。その場合には、撮像部１０１、検出部１０２、寄付部１０４、割合算出部１０５、判定部１０６、識別部１０７、制限部１０８、笑顔情報登録部１０９、場所特定部１１０は笑顔に代わり、種々の表情に適用してよい。例えば、所定の店舗内等で悲しみ、怒り等の表情が多く検出される状態で笑顔が検出された場合に通常よりも寄付の金額を増加させてもよい。つまり、本実施例では笑顔一つ当たりの寄付額を１円としているが、悲しみ、怒り等の表情が多い検出される状況下においては笑顔一つ当たりの寄付額を５円等としてもよい。
また、寄付装置１００は前述した様々な表情の検出に併せて、所定のデータベース等に検出された表情の結果を保有してもよい。例えば、笑顔情報登録部１０９が笑顔だけでなく、怒り、悲しみ、驚き等の笑顔以外の表情の検出結果を登録してもよい。
【００２９】
寄付部１０４は、笑顔検出部１０３が笑顔を検出するたびに、所定数量の有価価値の寄付を実行する。寄付部１０４は、図２に示すように、笑顔検出部１０３により右の人の顔が笑顔であると検出された場合に、例えば１円の寄付を実行することができる。これ以降、笑顔一つあたりの寄付の金額を１円であると仮定する。一方で、図２に示すように、左の人の顔は笑顔でないため寄付部１０４による寄付は実行されない。つまり、図２の場合には、笑顔が一つ検出されるので、寄付部１０４により１円の寄付を実行する。
【００３０】
寄付部１０４は、所定の寄付原資を上限として寄付を実行することができる。例えば、寄付原資を１０００円と設定すると笑顔が１０００回検出された場合に、寄付金額が１０００円に達し、それが寄付の上限となる。
【００３１】
寄付部１０４は、所定のイベントの売り上げを寄付原資とすることができる。例えば、所定のイベントの一日の売り上げが１万円であった場合にそれを寄付原資とすることができる。つまり、笑顔が１万回検出されるまでは笑顔が検出されるたびに１円の寄付が実行され、１万１回目からは笑顔が検出されても寄付が実行されない。
なお、寄付部１０４は、上記の例に限らず、１万１回目からは１回の笑顔に対する寄付レートの変更を設定することができてもよい。
【００３２】
寄付部１０４は、笑顔を検出するたびに、笑顔一つあたりの寄付金額である所定数量に笑顔の度合いに応じた係数を乗じて得られた数量の有価価値の寄付を実行する。笑顔一つあたりの寄付の金額である所定数量を１円と仮定しているので、１円に笑顔の度合いに応じた係数を乗じて得られた数量の有価価値の寄付を実行する。例えば、単純に笑顔の度合いを１０段階で評価し、段階に応じた係数である割合を乗じるとすると、笑顔の度合いが１０段階で８だった場合には、１×０．８＝０．８円となる。よって、笑顔の度合いが１０段階で８だった場合には、０．８円の寄付が寄付部１０４により実行される。また、笑顔の度合いが１０段階で２だった場合には、１×０．２＝０．２円となり、０．２円の寄付が寄付部１０４により実行される。
【００３３】
なお、所定のイベントとは、寄付を行うためのイベント等種々のイベントであってよい。
なお、笑顔一つあたりの寄付の金額を１円であると仮定しているが、寄付の金額は所望の金額を設定することができる。
なお、上記では笑顔の度合いを１０段階で評価して、それに応じた係数を乗じているが、１０段階に限らず所望の度合いに応じた所望の係数を乗じて得られた数量の有価価値の寄付を実行することができる。
なお、寄付部１０４は、判定部１０６が判定した笑顔の度合いを考慮して笑顔の度合いを決定してもよい。
【００３４】
割合算出部１０５は、所定の店舗内で開催された所定のイベント中に検出された笑顔の割合を算出する。例えば、割合算出部１０５は、撮像部１０１によって撮像された映像の全体時間に対し笑顔が検出された時間の割合いを算出することができる。撮像された映像の全体時間が２時間、笑顔が検出された時間が４５分である場合には、３．７５割であることを算出することができる。また、例えば、割合算出部１０５は検出部１０２によって検出された人の顔に対し、笑顔検出部１０３が検出した笑顔の割合を算出することができる。検出部１０２によって検出された人の顔が、１０００回であり、そのうち笑顔であった人の顔が２５０回であった場合には、笑顔の割合を２．５割であることを算出することができる。
なお、笑顔の割合を算出する方法は上記に限らず種々の方法を使用してもよい。
【００３５】
判定部１０６は、笑顔検出部１０３が検出した笑顔の度合いを判定する。例えば、前述した寄付部１０４が笑顔の度合いを１０段階としてそれに応じた係数を乗じて得られた数量の有価価値の寄付を実行する場合には、判定部１０６は、笑顔検出部１０３が検出した笑顔の度合いを１０段階で判定する。１段階目の笑顔は微笑、１０段階目の笑顔は満面の笑みであり、その間の２〜９段階目は徐々に笑顔の度合いが上がっていくように適宜設定してもよい。
【００３６】
なお、人の顔のデータを有するビックデータに基づいて人の顔の笑顔の度合いを判定、ＡＩによる顔認識技術により笑顔を判定する等種々の方法の使用が考えられるが、笑顔の度合いを判定することができればその方法は問わない。
なお、判定部１０６が判定する笑顔の度合いは前述したような１０段階に限らず、種々の度合いを設定してもよい。
【００３７】
識別部１０７は、撮像部１０１が撮像した映像に含まれる人の顔を個々に識別する。例えば、撮像部１０１が撮像した映像に１０人の人が含まれる場合には１０人それぞれを個々に識別する。つまり、所定の店舗内を撮影している場合には、店舗にいる人それぞれを個々に識別することができる。
【００３８】
笑顔検出部１０３は、識別部１０７が識別した個々の人に対して笑顔を検出してもよい。これにより、後述する制限部１０８は、笑顔検出部１０３が同一人の笑顔による寄付の実行を所定の回数に制限することができる。また、個々の人に対して笑顔を検出することができるため、個々の人が所定のイベント中に笑顔になった回数を算出することができる。
【００３９】
判定部１０６は、識別部１０７が認識した個々の人に対して笑顔の度合いを判定することができる。例えば、笑顔の度合いを１０段階で評価すると、所定の店舗内にいる甲さんの笑顔は８であり、同じ店舗内にいる乙さんの笑顔は５であると判定することができる。また、個々の人に対して笑顔の度合いを判定できるため、個々の人が所定のイベント中に記録した最高の笑顔の度合いを判定することができる。
【００４０】
なお、識別部１０７により顔を識別する技術は顔認識技術を利用する等種々考えられるが、人の顔を個々に識別することができればよい。
【００４１】
制限部１０８は、同一人の笑顔による寄付の実行を所定の回数に制限する。例えば、飲食店等の店舗内において撮像部１０１によって撮像された映像内に含まれる笑顔を検出する場合に、識別部１０７によって、店舗内に甲さんと乙さんがいることを識別する。そして、制限部１０８が同一人の笑顔による寄付の実行を１０回までと制限している場合には、甲さんと乙さんそれぞれについて笑顔検出部１０３が笑顔を検出したとき、寄付部１０４による寄付の実行が甲さんと乙さんそれぞれについて１０回まで、つまり１０円までと制限することができる。
【００４２】
制限部１０８は、店舗内にいる個々の人に寄付の実行を所定の回数に制限する設定をすることができる。例えば、飲食店等の店舗内に甲さんと乙さんがいる場合に、甲さんについては笑顔検出部１０３により笑顔が検出されたとき寄付部１０４による寄付が実行されるのは１０回まで、乙さんについては笑顔検出部１０３により笑顔が検出されたとき寄付部１０４による寄付が実行されるのは２０回までとそれぞれ設定することができる。
【００４３】
なお、前述した例では甲さんと乙さんのみ例に挙げたが、甲さんと乙さんのみならず複数である個々の人に対して制限部１０８による回数の制限をしてもよい。
【００４４】
笑顔情報登録部１０９は、笑顔の検出回数、検出時刻、及び検出場所に係る情報を登録する。例えば図３に示すように、店舗内で所定のイベント中に検出された笑顔の回数が２００回、検出時刻は当該笑顔の回数のそれぞれに対して１回目が１２時３分、２回目が１２時１０分などと登録することができる。また、検出場所は、店舗の場所でもよいし、店舗内をさらに区切ることで登録してもよい。例えば、テーブル席１、テーブル席２、テーブル席３が存在する場合に、後述する場所特定部１１０により場所を特定した上で、１回目は１２時３分にテーブル席２で笑顔が検出されたことを登録することができ、２回目は１２時１０分にテーブル席３で笑顔が検出されたことを登録することができる。また、検出場所については図３のように、〇〇店舗内等のように所定の店舗名を登録することができ、一方で〇〇県〇〇市〇〇等のように所定の店舗の住所や緯度経度、IPアドレスなどあらゆる手段で登録することができる。
【００４５】
なお、上記の図３に示した例は一例であり、検出回数、検出時刻、検出場所に係る情報を登録することができれば良い。
なお、検出回数を合計の検出回数として登録してもよい。
【００４６】
場所特定部１１０は、識別部１０７により識別した人がどこにいるかを特定することができる。例えば、店舗内において、テーブル席１、テーブル席２、テーブル席３が存在する場合に、甲さんはテーブル席１におり、乙さんはテーブル席３にいることを特定することができる。
【００４７】
なお、上記は甲さんと乙さんの場所を特定する例を示したが、店舗内にいる複数の個々の人に対して場所を特定することができる。
なお、場所特定部１１０は、検出部１０２により検出した人の場所を特定してもよい。
【００４８】
＜実施例１＞
【００４９】
本実施形態に係る寄付装置１００の処理方法について、図４のフローチャートを用いて説明する。
【００５０】
（ステップＳ２０１）撮像部１０１は、飲食店やスポーツ観戦を行う場所等の店舗内において、複数の人の顔を判別するために当該飲食店やスポーツ観戦を行う場所等の店舗内を撮像する。撮像部１０１が店舗内を撮影している場合にはステップＳ２０２に移る。
【００５１】
（ステップＳ２０２）検出部１０２は、撮像部１０１によって撮像された映像に含まれる人の顔を検出する。検出部１０２は、ステップＳ２０１で撮像部による撮影がされている間は人の顔を検出する。
検出部１０２は、撮像部１０１によって撮像された映像に含まれる人の顔を検出した場合に、ステップＳ２１１へと移り、場所特定部１１０による検出した人の場所の特定が行われてもよい。
【００５２】
（ステップＳ２０３）検出部１０２が、撮像部１０１によって撮像された映像に含まれる人の笑顔を検出する場合に、ステップＳ２０６へと移り、笑顔検出部１０３による笑顔の検出が行われる。
一方で、検出部１０２が、撮像部１０１によって撮像された映像に含まれる人の笑顔を検出しない場合に、ステップＳ２０４へと移る。
【００５３】
（ステップＳ２０４）ステップＳ２０３で笑顔を検出しない場合には、識別部１０７による個々の人の識別が行われる。識別部１０７は、検出部１０２が検出した人の顔を個々に識別する。識別部１０７による個々の人に対して識別した場合に、ステップＳ２０５に移り、制限部１０８により、同一人の笑顔による寄付の実行を所定の回数に制限される。
なお、後述するステップＳ２０６の前か後に識別部１０７による個々の識別が行われてもよい。
【００５４】
（ステップＳ２０５）ステップＳ２０２において、撮像部１０１によって撮像された映像に含まれる人の顔を検出した場合に、ステップＳ２０４へと移り人の顔を識別した後、制限部１０８による同一人の笑顔による寄付の実行を所定の回数に制限してもよい。この場合、識別部１０７による個々の人の識別が行われなくても、少人数の場合であれば場所特定部１１０により、場所を特定することにより個人を特定することができる。これにより、場所の情報に基づいて制限部１０８により寄付の回数を制限することができる。
【００５５】
制限部１０８による制限が行われた場合に、ステップＳ２１３に移り、寄付部１０４による寄付の実行を行うときに、制限部１０８によって制限された回数に設定される。例えば、制限部１０８が同一人の笑顔による寄付の実行を１０回と制限した場合に、寄付部１０４は笑顔検出部１０３によって笑顔が検出されたときに、同一人が寄付を実行できる回数が１０回までに制限される。つまり、同一人による寄付の上限の数量は１０円までとなる。
【００５６】
なお、上述した制限部１０８による制限された回数は一例であり、寄付装置１００のユーザが適宜設定してもよい。
【００５７】
（ステップＳ２０６）笑顔検出部１０３は、検出部１０２によって検出した人の顔に現れる笑顔を検出する。
笑顔検出部１０３による笑顔を検出した場合に、ステップＳ２１２へと移り、笑顔情報登録部１０９による笑顔の検出回数、検出時刻、及び検出場所に係る情報を登録が行われてもよい。
【００５８】
（ステップＳ２０７）笑顔検出部１０３による笑顔の検出が成功した場合にはステップＳ２０８に移る。
一方で、笑顔検出部１０３による笑顔の検出が失敗した場合には、処理を終了して再びステップＳ２０１からの処理を開始する。
なお、処理が終了した場合には、寄付装置１００のユーザが所定の時間が経過している場合に、再びステップＳ２０１からの処理を開始することなく終了させてもよい。
【００５９】
（ステップＳ２０８）本ステップでは、ステップＳ２０９、ステップＳ２１０、ステップＳ２１１を自由に選択して実行することができてよい。また、ステップＳ２０９、ステップＳ２１０、ステップＳ２１１から複数の処理を選択して実行することができてよい。
（ステップＳ２０９）判定部１０６は、笑顔検出部１０３が検出した笑顔の度合いを判定する。判定部１０６は、笑顔の度合いを判定した場合に、ステップＳ２１３に移り、寄付部１０４による寄付の実行が行われる。例えば、判定部１０６が笑顔を１０段階で評価する場合に、甲さんの笑顔が８であるとき、寄付部１０４はその情報を受け取り、段階に応じた係数である割合を乗じて寄付が実行される。つまり、本実施例の場合には１×０．８＝０．８円となり、０．８円の寄付が実行される。
【００６０】
なお、上記では寄付の金額を１円、判定部１０６による笑顔の度合いを１０段階としているが、これに限らず種々の値を設定してもよい。
【００６１】
（ステップＳ２１０）割合算出部１０５は、笑顔検出部１０３が検出した笑顔の割合を算出する。実施例に関しては、前述の通りである。割合算出部１０５による笑顔の割合の算出が行われた場合に、ステップＳ２１３に移り、寄付部１０４による寄付が実行されてもよい。この場合、寄付部１０４は、所定のイベントの寄付原資が１万円の場合に、割合算出部１０５による笑顔の割合が２．５割であったときは、１００００×０．２５＝２５００円の寄付を実行してもよい。
【００６２】
（ステップＳ２１１）場所特定部１１０は、検出部１０２が検出した人や識別部１０７が識別した個々人がどこにいるかを特定する。
場所特定部１１０により、例えば、テーブル席１、テーブル席２、テーブル席３があった場合に、テーブル席１で人の顔が検出されたとき、その人の場所をテーブル席１であると特定する。また、識別部１０７が識別した甲さんがテーブル席３で検出された場合は甲さんの場所をテーブル席３であると特定する。
【００６３】
場所特定部１１０により、検出部１０２が検出した人や識別部１０７が識別した個々人がどこにいるかを特定した場合に、ステップＳ２１２に移り、笑顔情報登録部１０９による笑顔情報の登録が行われる。
【００６４】
なお、場所特定部１１０は、上記に限らず、笑顔検出部１０３が検出した人の場所を特定してもよい。
【００６５】
（ステップＳ２１２）笑顔情報登録部１０９は、笑顔の検出回数、検出時刻、及び検出場所に係る情報を登録する。実施例に関しては、前述の通りである。笑顔情報登録部１０９による登録が行われた場合に、ステップＳ２１３に移り、寄付部１０４による寄付が実行されてもよい。この場合、寄付部１０４は、登録されている、笑顔の検出回数、検出時刻、検出場所を考慮して寄付を実行してもよい。例えば、検出時刻が１２時から１３時の間を対象に、笑顔の検出回数が１０００回されている場合は１０００円の寄付を実行することができる。若しくは、１３時から１４時の間の笑顔の検出回数を対象とする場合に、１３時から１４時の笑顔の検出回数が５００回の場合は５００円の寄付を実行することができる。また例えば、場所特定部１１０により、検出場所を考慮する場合には、テーブル席１、テーブル席２、テーブル席３があるとき、テーブル席１では笑顔が２０回、テーブル席２では笑顔が４０回、テーブル席３では笑顔が３０回であったとする。このとき、テーブル席１を対象として寄付を実行する場合は、２０円の寄付を実行することができる。
【００６６】
なお、寄付部１０４による寄付の実行に際する検出回数、検出時刻、及び検出場所を考慮する方法は上記に限られない。
【００６７】
（ステップＳ２１３）寄付部１０４は、笑顔検出部１０３が笑顔を検出するたびに、所定数量の有価価値の寄付を実行する。実施例については前述の通りである。この場合に、制限部１０８による結果を利用することができる。
【００６８】
寄付部１０４は、所定の寄付原資を上限として寄付を実行することができる。実施例については前述の通りである。この場合に、割合算出部１０５、笑顔情報登録部１０９による結果を利用することができる。例えば、寄付原資の上限を１万円とする場合に、割合算出部１０５が笑顔の割合を５割と算出したときは、５０００円の寄付を実行してもよい。
【００６９】
寄付部１０４は、笑顔を検出するたびに、笑顔一つあたりの寄付金額である所定数量に笑顔の度合いに応じた係数を乗じて得られた数量の有価価値の寄付を実行する。この場合に、判定部１０６による結果を利用することができる。実施例については前述の通りである。
【００７０】
なお、本実施形態では、寄付部１０４による寄付の金額を１円と設定したが、１円に限らず種々の金額を設定してもよい。
【００７１】
なお、所定のイベントとは日常、非日常を問わないものでよい。また、所定の店舗内は店舗内に限らずあらゆる場所を含んでもよい。
【００７２】
なお、上記の寄付には、ベーシックインカム、社会保障、富の再分配システム、富の共有、価値の共有などが含まれてもよい。
【００７３】
＜本実施形態の効果＞
本実施形態によれば、店舗内等で所定のイベントを開催する場合に、笑顔が発生するたびに寄付を実行できるため、店舗を利用する顧客は笑顔になる度に寄付を実行でき、店舗側は顧客に笑顔による寄付を実行してもらうために質の良いサービスを提供することができる。ひいては、ＳＤＧｓに貢献することが可能となる。
【００７４】
＜本実施形態についての補足＞
以上、実施形態に基づいて本発明を説明したが、本発明は、上述した実施形態に限定されるものではなく、本発明の要旨の範囲内で種々の変形や応用が可能なことは勿論である。
【符号の説明】
【００７５】
１００    寄付装置
１０１    撮像部
１０２    検出部
１０３    笑顔検出部
１０４    寄付部
１０５    割合算出部
１０６    判定部
１０７    識別部
１０８    制限部
１０９    笑顔情報登録部
１１０    場所特定部
【要約】
【課題】
映像中の笑顔を検出すると寄付を実行する。
【解決手段】寄付装置１００は、映像を撮像する撮像部１０１と、映像に含まれる人の顔を検出する検出部１０２と、検出した人の顔に現れる笑顔を検出する笑顔検出部１０３と、笑顔を検出するたびに寄付を実行する寄付部１０４と、検出された笑顔の割合を算出する割合算出部１０５と、笑顔の度合いを判定する判定部１０６と、映像に含まれる人の顔を識別する識別部１０７と、寄付の実行を所定の回数に制限する制限部１０８と、笑顔に係る情報を登録する笑顔情報登録部１０９と、笑顔の人がどこにいるかを特定する場所特定部１００を有する。
【選択図】図１【図１】
0006940198.tif 000002
【図２】
0006940198.tif 000003
【図３】
0006940198.tif 000004
【図４】
0006940198.tif 000005